(57)【要約】      （修正有）【課題】デザイン性、吸水性及び肌触りの向上を図ることができる新規な下着を提供する。【解決手段】この下着は成形編みされたアンダーシャツであって、シャツ本体部１００と、このシャツ本体部１００に連続する背中部分２００とを有している。シャツ本体部１００はゲルマニウムが練り込まれたレーヨン糸を用いて編まれた複数の柄のジャガード編み地で構成されている。背中部分２００は前記レーヨン糸を用いて編まれたシンカーパイル編み地で構成されている。【選択図】図１
0003134998.tif 000002
【実用新案登録請求の範囲】
【請求項１】
成形編みされる下着において、一又は複数の柄で構成されるジャガード編み地と、このジャガード編み地に連続するシンカーパイル編み地とを有することを特徴とする下着。
【請求項２】
アンダーシャツである請求項１記載の下着において、背中部分がシンカーパイル編み地となっていることを特徴とする下着。
【請求項３】
パンツである請求項１記載の下着において、臀部がシンカーパイル編み地になっていることを特徴とする下着。
【請求項４】
請求項２又は３記載の下着において、シンカーパイル編み地が起毛していることを特徴とする下着。
【請求項５】
請求項１記載の下着において、ジャガード編み地及び／又はシンカーパイル編み地は、ゲルマニウムが練り込まれた糸により構成されていることを特徴とする下着。
【考案の詳細な説明】
【技術分野】
【０００１】
本考案は成形編みされる下着に関する。
【背景技術】
【０００２】
この種の下着としては、片畦編み地やタック編み地等の複数の編み地が連続するように成形編みされたものがある（特許文献１参照）。
【０００３】
【特許文献１】実用新案登録第３１２６４８６号公報
【考案の開示】
【考案が解決しようとする課題】
【０００４】
ところで、前記下着は一層のデザイン性の向上が求められている。その一方で、前記下着は吸水性及び肌触りの良さの向上が求められている。
【０００５】
本考案は、上記事情に鑑みて創案されたものであって、その目的とするところは、デザイン性、吸水性及び肌触りの向上を図ることができる新規な下着を提供することにある。
【課題を解決するための手段】
【０００６】
上記課題を解決するために、本考案の下着は、成形編みされる下着であって、一又は複数の柄で構成されるジャガード編み地と、このジャガード編み地に連続するシンカーパイル編み地とを有している。
【０００７】
前記下着がアンダーシャツである場合、背中部分がシンカーパイル編み地となっていることが好ましい。
【０００８】
前記下着がパンツである場合、臀部がシンカーパイル編み地になっていることが好ましい。
【０００９】
前記シンカーパイル編み地は起毛していることが好ましい。
【００１０】
前記ジャガード編み地及び／又はシンカーパイル編み地はゲルマニウムが練り込まれた糸により構成されていることが好ましい。
【考案の効果】
【００１１】
本考案の下着による場合、一又は複数の柄で構成されるジャガード編み地とシンカーパイル編み地とが連続するように成形編みされている。ジャガード編み地は、複数色の色糸を編み込んで柄を表現することができるので、デザイン性の向上を図ることができる。その一方、シンカーパイル編み地は、ループ状に糸が突出することから、肌に触れる接触面積を大きくすることができる。この点で、吸水性を向上させることができる。また、シンカーパイル編み地はループ状に突出していることから、フカフカとした肌触りを得ることができる。この点で、肌触りを向上させることができる。
【考案を実施するための最良の形態】
【００１２】
以下、本考案の実施の形態に係る下着について図面を参照しながら説明する。図１は本考案の実施の形態に係る下着の模式的正面図、図２が同下着の模式的背面図である。図３は図１のα部分の部分拡大図、図４は同下着の設計変更例を示す模式的正面図、図５は同下着の設計変更例を示す模式的背面図である。
【００１３】
図１及び図２に示す下着は成形編みされたアンダーシャツであって、シャツ本体部１００と、このシャツ本体部１００に連続する背中部分２００とを有している。以下、各部を詳しく説明する。
【００１４】
シャツ本体部１００はゲルマニウムが練り込まれたレーヨン糸（チオクリーン（登録商標））を用いて編まれた複数の柄のジャガード編み地で構成されている。このシャツ本体部１００は前面部１１０と２つの袖部１２０とを有している。
【００１５】
一方、背中部分２００は、図３に示すように、パイル糸２０１と地糸２０２とが対になった糸２１０を用いて編まれたシンカーパイル編み地で構成されている。糸２１０も前記レーヨン糸である。パイル糸２０１は着衣者の背中に向けてループ状に突出している。
【００１６】
このような構成の下着は図示しない周知の成型用編み機を用いて作成される。即ち、シャツ本体部１００となるべき部分に前記レーヨン糸を用いて複数の柄のジャガード編み地を作成する。これと共に、背中部分２００となるべき部分に糸２１０を用いてシンカーパイル編み地を作成する。このとき、前記成形編み機の図示しないシンカーでパイル糸２０１を係合して地糸２０２から離れる方向に引き出す。これによりパイル糸２０１が着衣者の背中に向けてループ状に突出する。
【００１７】
このような下着による場合、シャツ本体部１００の前面部１１０及び袖部１２０が複数の柄のジャガード編み地で構成されているので、デザイン性の向上を図ることができる。また、背中部分２００がシンカーパイル編み地で構成され、パイル糸２０１が着衣者の背中に向けてループ状に突出している。このため、肌に触れる接触面積を大きくすることができ、吸水性を向上させることができる。更に、パイル糸２０１が着衣者の背中に向けてループ状に突出していることから、着衣者の背中に接する感触としてフカフカとした肌触りを得ることができ、肌触りを向上させることができる。
【００１８】
また、前記下着は、ゲルマニウムが練り込まれたレーヨン糸を用いているので、前記ゲルマニウムの作用により、着衣者の疾病への抵抗力を高めたり、着衣者の体内の血流を良くして血圧を下げたり、着衣者の疲労・老化原因を排除して細胞を若返らせたりする効果を得ることができる。
【００１９】
なお、上述した下着は、成形編みされる下着であって、一又は複数の柄で構成されるジャガード編み地と、このジャガード編み地に連続するシンカーパイル編み地とを有する限り任意に設計変更することが可能である。
【００２０】
即ち、上記下着はアンダーシャツであるとしたが、図４及び５に示すように、成形編みされたロングパンツとすることもできる。この場合、パンツ本体部３００が複数の柄で構成される上記ジャガード編み地となっており、臀部４１０、４２０が前記ジャガード編み地に連続する上記パイル編み地となっている。
【００２１】
上記ジャガード編み地は複数の柄で構成されるとしたが、これに限定されるものではなく、一つの柄で構成されるように設計変更することもできる。前記ジャガード編み地はゲルマニウムが練り込まれたレーヨン糸で編まれるとしたが、これに限定されるものではない。
【００２２】
上記シンカーパイル編み地は、パイル糸２０１の頂部をカットし、起毛させることができる。この場合、肌触りを更に向上させることができる。前記シンカーパイル編み地はゲルマニウムが練り込まれたレーヨン糸で編まれるとしたが、これに限定されるものではない。
【００２３】
なお、本考案の下着は、上述したアンダーシャツ、パンツに限定されるものではなく、タンクトップ、キャミソール等の上半身に着けるトップス又はショーツ、スパッツ等の下半身に着けるボトムに適応可能であることは言うまでもない。
【図面の簡単な説明】
【００２４】
【図１】本考案の実施の形態に係る下着の模式的正面図である。
【図２】同下着の模式的背面図である。
【図３】図１のα部分の部分拡大図である。
【図４】同下着の設計変更例を示す模式的正面図である。
【図５】同下着の設計変更例を示す模式的背面図である。
【符号の説明】
【００２５】
１００            シャツ本体部（ジャガード編み地）
２００            背中部分（パイル編み地）
３００            パンツ本体部
４１０、４２０    臀部
【図１】
0003134998.tif 000003
【図２】
0003134998.tif 000004
【図３】
0003134998.tif 000005
【図４】
0003134998.tif 000006
【図５】
0003134998.tif 000007